【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
印刷データを一意に示す印刷データ情報を管理する印刷制御サーバと、前記印刷データの印刷を行う印刷装置とがネットワークを介して通信可能な印刷制御システムであって、
前記印刷制御サーバは、
前記印刷データ情報の一覧情報を前記印刷装置に送信する一覧情報送信手段と、
前記印刷装置から、当該印刷装置で新たに追加された前記一覧情報に含まれない印刷データ情報と、削除指示を含むジョブ制御指示情報を受信するジョブ制御指示情報受信手段と、
前記一覧情報送信手段により一覧情報が送信された後に当該印刷制御サーバで管理された印刷データの情報に対応する印刷データ情報を特定する印刷データ特定手段と、
前記ジョブ制御指示情報受信手段で受信したジョブ制御指示情報に含まれる削除指示に従い、前記印刷データ特定手段で特定された印刷データ情報の印刷データを削除するように制御する削除制御手段とを備え、
前記印刷装置は、
前記印刷制御サーバから受信した印刷データ情報を含む一覧情報を表示する一覧情報表示手段と、
前記一覧情報に含まれない印刷データを削除するべく、印刷データ情報を追加する印刷データ情報追加手段と、
前記印刷データ情報追加手段で追加した追加印刷データ情報と削除指示を含むジョブ制御指示情報を前記印刷制御サーバに送信するジョブ制御指示情報送信手段と
を備えることを特徴とする印刷制御システム。
【請求項２】
前記一覧情報表示手段は、新たに追加された前記一覧情報に含まれない印刷データ情報を追加表示し、前記追加表示した印刷データ情報に削除設定を可能とする
ことを特徴とする請求項１に記載の印刷制御システム。
【請求項３】
前記印刷データ情報追加手段は、
更に、前記一覧情報に含まれない印刷データを印刷するべく、印刷データ情報を追加することを可能とし、
前記ジョブ制御指示情報送信手段は、更に、印刷指示を含むジョブ制御指示情報を送信することを可能とする
ことを特徴とする請求項１または２に記載の印刷制御システム。
【請求項４】
前記印刷制御サーバは、
前記追加された追加印刷データ情報と、前記印刷データ特定手段で特定した印刷データの印刷データ情報とを関連付けて記憶する記憶手段と、
前記記憶手段で記憶する印刷データ情報を前記印刷装置に前記追加印刷データ情報とともに送信する印刷データ情報送信手段とを備え、
前記印刷装置は、
前記印刷データ情報送信手段により送信された前記印刷データ情報と、前記追加印刷データ情報を受信する印刷データ情報受信手段と、
前記印刷データ情報受信手段より受信した追加印刷データ情報と、前記一覧情報表示手段で追加表示された印刷データ情報とを比較し、一致した場合に、前記印刷データ情報受信手段より受信した前記印刷データ情報を用いて、一致した前記一覧情報表示手段に表示されている印刷データ情報を変更する追加印刷データ表示変更手段と
を備えることを特徴とする請求項２又は請求項３に記載の印刷制御システム。
【請求項５】
前記印刷装置は、追加された印刷データに対して所定の条件を設定する条件設定手段を更に備え、
前記ジョブ制御指示情報は、前記所定の条件を含み、
前記印刷データ特定手段は、前記所定の条件に一致する前記一覧情報に含まれていない印刷データを特定する
ことを特徴とする請求項１乃至４のいずれか１項に記載の印刷制御システム。
【請求項６】
印刷データの印刷を行う印刷装置とネットワークを介して通信可能であり、印刷データを一意に示す印刷データ情報を管理する印刷制御サーバであって、
前記印刷データ情報の一覧情報を前記印刷装置に送信する一覧情報送信手段と、
前記印刷装置から、当該印刷装置で新たに追加された前記一覧情報に含まれない印刷データ情報と、削除指示を含むジョブ制御指示情報を受信するジョブ制御指示情報受信手段と、
前記一覧情報送信手段により一覧情報が送信された後に当該印刷制御サーバで管理された印刷データの情報に対応する印刷データ情報を特定する印刷データ特定手段と、
前記ジョブ制御指示情報受信手段で受信したジョブ制御指示情報に含まれる削除指示に従い、前記印刷データ特定手段で特定された印刷データ情報の印刷データを削除するように制御する削除制御手段と
を備えることを特徴とする印刷制御サーバ。
【請求項７】
印刷データを一意に示す印刷データ情報を管理する印刷制御サーバと、前記印刷データの印刷を行う印刷装置とがネットワークを介して通信可能な印刷制御システムにおける印刷制御方法であって、
前記印刷制御サーバが、
前記印刷データ情報の一覧情報を前記印刷装置に送信する一覧情報送信工程と、
前記印刷装置から、当該印刷装置で新たに追加された前記一覧情報に含まれない印刷データ情報と、削除指示を含むジョブ制御指示情報を受信するジョブ制御指示情報受信工程と、
前記一覧情報送信工程により一覧情報が送信された後に当該印刷制御サーバで管理された印刷データの情報に対応する印刷データ情報を特定する印刷データ特定工程と、
前記ジョブ制御指示情報受信工程で受信したジョブ制御指示情報に含まれる削除指示に従い、前記印刷データ特定工程で特定された印刷データ情報の印刷データを削除するように制御する削除制御工程とを含み、
前記印刷装置が、
前記印刷制御サーバから受信した印刷データ情報を含む一覧情報を表示する一覧情報表示工程と、
前記一覧情報に含まれない印刷データを削除するべく、印刷データ情報を追加する印刷データ情報追加工程と、
前記印刷データ情報追加工程で追加した追加印刷データ情報と削除指示を含むジョブ制御指示情報を前記印刷制御サーバに送信するジョブ制御指示情報送信工程と
を含むことを特徴とする印刷制御システムの印刷制御方法。
【請求項８】
印刷データの印刷を行う印刷装置とネットワークを介して通信可能であり、印刷データを一意に示す印刷データ情報を管理する印刷制御サーバにおける印刷制御方法であって、
前記印刷制御サーバが、
前記印刷データ情報の一覧情報を前記印刷装置に送信する一覧情報送信工程と、
前記印刷装置から、当該印刷装置で新たに追加された前記一覧情報に含まれない印刷データ情報と、削除指示を含むジョブ制御指示情報を受信するジョブ制御指示情報受信工程と、
前記一覧情報送信工程により一覧情報が送信された後に当該印刷制御サーバで管理された印刷データの情報に対応する印刷データ情報を特定する印刷データ特定工程と、
前記ジョブ制御指示情報受信工程で受信したジョブ制御指示情報に含まれる削除指示に従い、前記印刷データ特定工程で特定された印刷データ情報の印刷データを削除するように制御する削除制御工程と
を含むことを特徴とする印刷制御サーバの印刷制御方法。
【請求項９】
印刷データを一意に示す印刷データ情報を管理する印刷制御サーバと、前記印刷データの印刷を行う印刷装置とがネットワークを介して通信可能な印刷制御システムで実行される印刷制御プログラムであって、
前記印刷制御サーバを、
前記印刷データ情報の一覧情報を前記印刷装置に送信する一覧情報送信手段と、
前記印刷装置から、当該印刷装置で新たに追加された前記一覧情報に含まれない印刷データ情報と、削除指示を含むジョブ制御指示情報を受信するジョブ制御指示情報受信手段と、
前記一覧情報送信手段により一覧情報が送信された後に当該印刷制御サーバで管理された印刷データの情報に対応する印刷データ情報を特定する印刷データ特定手段と、
前記ジョブ制御指示情報受信手段で受信したジョブ制御指示情報に含まれる削除指示に従い、前記印刷データ特定手段で特定された印刷データ情報の印刷データを削除するように制御する削除制御手段
として機能させ、
前記印刷装置を、
前記印刷制御サーバから受信した印刷データ情報を含む一覧情報を表示する一覧情報表示手段と、
前記一覧情報に含まれない印刷データを削除するべく、印刷データ情報を追加する印刷データ情報追加手段と、
前記印刷データ情報追加手段で追加した追加印刷データ情報と削除指示を含むジョブ制御指示情報を前記印刷制御サーバに送信するジョブ制御指示情報送信手段
として機能させることを特徴とする印刷制御システムの印刷制御プログラム。
【請求項１０】
印刷データの印刷を行う印刷装置とネットワークを介して通信可能であり、印刷データを一意に示す印刷データ情報を管理する印刷制御サーバの印刷制御プログラムであって、
前記印刷制御サーバを、
前記印刷データ情報の一覧情報を前記印刷装置に送信する一覧情報送信手段と、
前記印刷装置から、当該印刷装置で新たに追加された前記一覧情報に含まれない印刷データ情報と、削除指示を含むジョブ制御指示情報を受信するジョブ制御指示情報受信手段と、
前記一覧情報送信手段により一覧情報が送信された後に当該印刷制御サーバで管理された印刷データの情報に対応する印刷データ情報を特定する印刷データ特定手段と、
前記ジョブ制御指示情報受信手段で受信したジョブ制御指示情報に含まれる削除指示に従い、前記印刷データ特定手段で特定された印刷データ情報の印刷データを削除するように制御する削除制御手段
として機能させることを特徴とする印刷制御サーバで実行される印刷制御プログラム。
【請求項１１】
印刷データを一意に示す印刷データ情報を管理し、印刷情報の一覧情報表示に未表示の印刷データに対し削除することを可能とする印刷制御サーバとネットワークを介して通信可能な印刷装置であって、
前記印刷制御サーバから受信した印刷データ情報を含む一覧情報を表示する一覧情報表示手段と、
前記一覧情報に含まれない印刷データを削除するべく、印刷データ情報を追加する印刷データ情報追加手段と、
前記印刷制御サーバで一覧情報が送信された後に当該印刷制御サーバで管理された印刷データを削除するために、前記印刷データ情報追加手段で追加した追加印刷データ情報と削除指示を含むジョブ制御指示情報を前記印刷制御サーバに送信するジョブ制御指示情報送信手段と
を備えることを特徴とする印刷装置。
【請求項１２】
印刷データを一意に示す印刷データ情報を管理し、印刷情報の一覧情報表示に未表示の印刷データに対し削除することを可能とする印刷制御サーバとネットワークを介して通信可能な印刷装置における印刷制御方法であって、
前記印刷装置が、
前記印刷制御サーバから受信した印刷データ情報を含む一覧情報を表示する一覧情報表示工程と、
前記一覧情報に含まれない印刷データを削除するべく、印刷データ情報を追加する印刷データ情報追加工程と、
前記印刷制御サーバで一覧情報が送信された後に当該印刷制御サーバで管理された印刷データを削除するために、前記印刷データ情報追加工程で追加した追加印刷データ情報と削除指示を含むジョブ制御指示情報を前記印刷制御サーバに送信するジョブ制御指示情報送信工程と
を含むことを特徴とする印刷装置の印刷制御方法。
【請求項１３】
印刷データを一意に示す印刷データ情報を管理し、印刷情報の一覧情報表示に未表示の印刷データに対し削除することを可能とする印刷制御サーバとネットワークを介して通信可能な印刷装置で実行される印刷制御プログラムであって、
前記印刷装置を、
前記印刷制御サーバから受信した印刷データ情報を含む一覧情報を表示する一覧情報表示手段と、
前記一覧情報に含まれない印刷データを削除するべく、印刷データ情報を追加する印刷データ情報追加手段と、
前記印刷制御サーバで一覧情報が送信された後に当該印刷制御サーバで管理された印刷データを削除するために、前記印刷データ情報追加手段で追加した追加印刷データ情報と削除指示を含むジョブ制御指示情報を前記印刷制御サーバに送信するジョブ制御指示情報送信手段
として機能させることを特徴とする印刷制御プログラム。
【手続補正２】
【補正対象書類名】明細書
【補正対象項目名】発明の名称
【補正方法】変更
【補正の内容】
【発明の名称】印刷制御システム、印刷制御サーバ、印刷装置、とその印刷制御方法および印刷制御プログラム
【手続補正３】
【補正対象書類名】明細書
【補正対象項目名】０００７
【補正方法】変更
【補正の内容】
【０００７】
このように、従来技術およびその組み合わせでは、クライアント端末から送信した印刷データが印刷サーバで受信が完了するまで、印刷装置には印刷データの一覧として表示されることができないという問題がある。
しかしながら、クライアント端末から印刷データの印刷指示をしたユーザは、印刷サーバによる印刷データの受信完了を待たずに、印刷装置において印刷データの一覧を要求し、印刷指示したいことが想定される。
また、クライアント端末から複数の印刷データを印刷指示した場合に、３つ目に送信した印刷データの印刷を行うことを印刷装置の操作部から、印刷データの一覧が表示される前に指示したいことが想定されるが、従来技術では実現することができない。
更には、クライアント端末から印刷指示した印刷データの順番がわからないが、印刷したいドキュメント（印刷データ）の特徴をユーザが覚えている場合であっても、その印刷データの受信が印刷サーバで完了し、印刷データの一覧を印刷装置に表示される前に、当該印刷データを特定して印刷指示することができないという問題があった。
また、このように印刷装置上において一覧表示されない印刷データについて、印刷データの削除を先に指示しておきたい場合であっても、印刷データの一覧が表示されるまでは、印刷データの削除を行うことができないという問題があった。
このように、印刷装置上において一覧表示されない印刷データについて、一覧表示される前に、印刷指示または削除指示というジョブ制御を行いたいことが想定されるが、それを実現する仕組みがないという課題がある。
本発明は、印刷装置で一覧表示がされていない印刷データに対して削除を行える仕組みを提供することを目的とする。
【手続補正４】
【補正対象書類名】明細書
【補正対象項目名】０００８
【補正方法】変更
【補正の内容】
【０００８】
前述した目的を達成するために第１の発明は、印刷データを一意に示す印刷データ情報を管理する印刷制御サーバと、前記印刷データの印刷を行う印刷装置とがネットワークを介して通信可能な印刷制御システムであって、前記印刷制御サーバは、前記印刷データ情報の一覧情報を前記印刷装置に送信する一覧情報送信手段と、前記印刷装置から、当該印刷装置で新たに追加された前記一覧情報に含まれない印刷データ情報と、削除指示を含むジョブ制御指示情報を受信するジョブ制御指示情報受信手段と、前記一覧情報送信手段により一覧情報が送信された後に当該印刷制御サーバで管理された印刷データの情報に対応する印刷データ情報を特定する印刷データ特定手段と、前記ジョブ制御指示情報受信手段で受信したジョブ制御指示情報に含まれる削除指示に従い、前記印刷データ特定手段で特定された印刷データ情報の印刷データを削除するように制御する削除制御手段とを備え、前記印刷装置は、前記印刷制御サーバから受信した印刷データ情報を含む一覧情報を表示する一覧情報表示手段と、前記一覧情報に含まれない印刷データを削除するべく、印刷データ情報を追加する印刷データ情報追加手段と、前記印刷データ情報追加手段で追加した追加印刷データ情報と削除指示を含むジョブ制御指示情報を前記印刷制御サーバに送信するジョブ制御指示情報送信手段とを備えることを特徴とする。
また、前記一覧情報表示手段は、新たに追加された前記一覧情報に含まれない印刷データ情報を追加表示し、前記追加表示した印刷データ情報に削除設定を可能とすることを特徴とする。
また、前記印刷データ情報追加手段は、更に、前記一覧情報に含まれない印刷データを印刷するべく、印刷データ情報を追加することを可能とし、前記ジョブ制御指示情報送信手段は、更に、印刷指示を含むジョブ制御指示情報を送信することを可能とすることを特徴とする。
また、前記印刷制御サーバは、前記追加された追加印刷データ情報と、前記印刷データ特定手段で特定した印刷データの印刷データ情報とを関連付けて記憶する記憶手段と、
前記記憶手段で記憶する印刷データ情報を前記印刷装置に前記追加印刷データ情報とともに送信する印刷データ情報送信手段とを備え、前記印刷装置は、前記印刷データ情報送信手段により送信された前記印刷データ情報と、前記追加印刷データ情報を受信する印刷データ情報受信手段と、前記印刷データ情報受信手段より受信した追加印刷データ情報と、前記一覧情報表示手段で追加表示された印刷データ情報とを比較し、一致した場合に、前記印刷データ情報受信手段より受信した前記印刷データ情報を用いて、一致した前記一覧情報表示手段に表示されている印刷データ情報を変更する追加印刷データ表示変更手段と
を備えることを特徴とする。
また、前記印刷装置は、追加された印刷データに対して所定の条件を設定する条件設定手段を更に備え、前記ジョブ制御指示情報は、前記所定の条件を含み、前記印刷データ特定手段は、前記所定の条件に一致する前記一覧情報に含まれていない印刷データを特定することを特徴とする。
【手続補正５】
【補正対象書類名】明細書
【補正対象項目名】０００９
【補正方法】変更
【補正の内容】
【０００９】
本発明によれば、印刷装置で一覧表示がされていない印刷データに対して削除を行える仕組みを提供することができる。